(57)【要約】【課題】撮影システムにおいて、画像に視覚情報を付与すること。【解決手段】本発明の一実施形態に係る撮影システムは、複数の発光体を一列に備えたディスプレイ、前記ディスプレイを支持する支持部、及び、前記支持部を介して前記ディスプレイを回転させる回転部を備えた残像表示装置と、前記ディスプレイの回転軌道の全部又は一部を撮影可能なように配置された撮影装置と、目の残像効果を利用して前記複数の発光体の軌跡上に視覚情報を表示可能なように前記回転部の回転と前記複数の発光体の作動タイミングとを制御すると共に、前記回転部の回転中に撮影を行うように前記撮影装置を制御する制御装置と、を有する。【選択図】  図１
2018029274.tif 000002
【特許請求の範囲】
【請求項１】
複数の発光体を一列に備えたディスプレイ、前記ディスプレイを支持する支持部、及び、前記支持部を介して前記ディスプレイを回転させる回転部を備えた残像表示装置と、
前記ディスプレイの回転軌道の全部又は一部を撮影可能なように配置された撮影装置と、
目の残像効果を利用して前記複数の発光体の軌跡上に視覚情報を表示可能なように前記回転部の回転と前記複数の発光体の作動タイミングとを制御すると共に、前記回転部の回転中に撮影を行うように前記撮影装置を制御する制御装置と、
を有する撮影システム。
【請求項２】
前記ディスプレイは、複数の発光体が前記撮影装置の上下方向に平行に配列されたものであり、
前記回転部は、前記ディスプレイを前記撮影装置の上下方向の軸を中心にして回転させる構成である請求項１に記載の撮影システム。
【請求項３】
前記制御装置は、前記視覚情報が所定の表示色及び表示位置となるように前記複数の発光体の作動を制御する請求項１又は２に記載の撮影システム。
【請求項４】
前記視覚情報を設定するクライアント装置と、
前記クライアント装置からネットワークを介して前記視覚情報を受信し、前記視覚情報を前記制御装置に送信するサーバ装置と、をさらに有し、
前記制御装置は、前記サーバ装置からの前記視覚情報に応じて前記回転部の回転と前記複数の発光体の作動タイミングとを制御する請求項１乃至３のうちいずれか一項に記載の撮影システム。
【発明の詳細な説明】
【技術分野】
【０００１】
本発明は、撮影システムに係り、特に、画像に視覚情報を付与する撮影システムに関する。
【背景技術】
【０００２】
従来知られる目の残像効果を利用した表示玩具として、一列に配置される複数の発光体を支持する回転部材の一端がモータに接続され、ＰＯＶ（Persistence Of Vision）技術を利用したものがある。当該表示玩具において、モータの駆動により回転部材が当該一端を中心に円を描くように回転され、かつ、複数の発光体のそれぞれの作動タイミングが制御される。ＰＯＶ技術により、当該表示玩具は、目の残像効果を利用して、複数の発光体の回転軌跡上に文字等の視覚情報を表示することができる。
【０００３】
表示玩具では、制御内容を変更することにより、様々な視覚情報を表示することができるので、興味を引かれる玩具となる（例えば、特許文献１）。
【先行技術文献】
【特許文献】
【０００４】
【特許文献１】特開２００３−３１４４８７号公報
【発明の概要】
【発明が解決しようとする課題】
【０００５】
しかしながら、従来の表示玩具では、ＰＯＶ技術を利用して文字等の視覚情報を表示できるに過ぎない。
【０００６】
また、撮影日時や任意のコメント等の情報を画像に付与したい場合、実体としての表示物を撮影して画像に含めるか、撮影後に後処理で画像に情報を付与する必要がある。撮影装置によっては、日付焼き込み機能を有しているが、その場合でも、任意のコメントを画像に付与することはできない。
【０００７】
本発明は、上述した事情を考慮してなされたもので、ＰＯＶ技術を利用した文字等の視覚情報を画像に付与できる撮影システムを提供することを目的とする。
【課題を解決するための手段】
【０００８】
本発明の一実施形態に係る撮影システムは、上述した課題を解決するために、複数の発光体を一列に備えたディスプレイ、前記ディスプレイを支持する支持部、及び、前記支持部を介して前記ディスプレイを回転させる回転部を備えた残像表示装置と、前記ディスプレイの回転軌道の全部又は一部を撮影可能なように配置された撮影装置と、目の残像効果を利用して前記複数の発光体の軌跡上に視覚情報を表示可能なように前記回転部の回転と前記複数の発光体の作動タイミングとを制御すると共に、前記回転部の回転中に撮影を行うように前記撮影装置を制御する制御装置と、を有する。
【発明の効果】
【０００９】
本発明に係る撮影システムによれば、ＰＯＶ技術を利用した文字等の視覚情報を画像に付与できる。
【図面の簡単な説明】
【００１０】
【図１】実施形態に係る撮影システムの構成例を示すブロック図。
【図２】（Ａ），（Ｂ）は、撮影装置の構造例を示す図、（Ｃ）〜（Ｅ）は、残像表示装置の一構成であるＬＥＤディスプレイの回転軌道と、撮影装置との位置関係を例示する図、（Ｆ）は、制御装置、残像表示装置、及び撮影装置の配置の具体例を示す図。
【図３】実施形態に係る撮影システムの第１のシーケンスを示す図。
【図４】視覚情報の設定するための視覚情報設定画面の一例を示す図。
【図５】実施形態に係る撮影システムの第２のシーケンスを示す図。
【発明を実施するための形態】
【００１１】
本発明に係る実施の形態について、添付図面を参照して説明する。
【００１２】
図１は、実施形態に係る撮影システムの構成例を示すブロック図である。
【００１３】
図１は、実施形態に係る撮影システム１を示す。撮影システム１は、サーバ装置１０、クライアント装置群２０、制御装置３０、残像表示装置４０、及び撮影装置５０を備える。サーバ装置１０、クライアント装置群２０、及び制御装置３０は、いわゆるインターネットＮ１を介して相互通信可能である。
【００１４】
サーバ装置１０は、コンピュータをベースに構成されており、少なくとも制御部１１、記憶部１２、及び通信部１３を備える。制御部１１は、共通信号伝送路としてのバスを介して、サーバ装置１０を構成する各ハードウェア構成要素に相互接続されている。
【００１５】
制御部１１は、専用又は汎用のＣＰＵ（Central Processing Unit）又はＭＰＵ（Micro Processor Unit）の他、特定用途向け集積回路（ＡＳＩＣ：Application Specific Integrated Circuit）、及び、プログラマブル論理デバイス等の処理回路を意味する。プログラマブル論理デバイスとしては、例えば、単純プログラマブル論理デバイス（ＳＰＬＤ：Simple Programmable Logic Device）、複合プログラマブル論理デバイス（ＣＰＬＤ：Complex Programmable Logic Device）、及び、フィールドプログラマブルゲートアレイ（ＦＰＧＡ：Field Programmable Gate Array）等の回路が挙げられる。制御部１１は、記憶部１２に記憶された、又は、制御部１１内に直接組み込まれたプログラムを読み出し実行することで、図３及び図５に示すサーバ装置１０の機能を実現する。
【００１６】
また、制御部１１は、単一の回路によって構成されても良いし、複数の独立した回路要素を組み合わせによって構成されても良い。後者の場合、プログラムを記憶する記憶部１２は回路要素ごとに個別に設けられても良いし、単一の記憶部１２が複数の回路要素の機能に対応するプログラムを記憶するものであっても良い。
【００１７】
記憶部１２は、ＲＡＭ（Random Access Memory）、フラッシュメモリ（Flash Memory）等の半導体メモリ素子、ハードディスク、光ディスク等によって構成される。記憶部１２は、ＵＳＢ（Universal Serial Bus）メモリ及びＤＶＤ（Digital Video Disk）等の可搬型メディアによって構成されても良い。記憶部１２は、制御部１１において用いられる各種処理プログラム（アプリケーションプログラムの他、ＯＳ（Operating System）等も含まれる）や、プログラムの実行に必要なデータや、画像データを記憶する。
【００１８】
通信部１３は、パラレル接続仕様やシリアル接続仕様に合わせたコネクタ等によって構成される。通信部１３は、インターネットＮ１上の外部装置と情報の送受信を行なう。
【００１９】
クライアント装置群２０は、クライアント装置２０Ａ，２０Ｂ，…を備える。ここでは、クライアント装置２０Ａの構成について説明するが、クライアント装置２０Ａ以外のクライアント装置の構成についても同様である。
【００２０】
クライアント装置２０Ａとしては、汎用コンピュータ、スマートフォン、及びタブレット型端末等の情報通信端末を利用することができる。クライアント装置２０Ａは、少なくとも制御部２１、記憶部２２、通信部２３、入力部２４、及び表示部２５を備える。制御部２１は、共通信号伝送路としてのバスを介して、クライアント装置２０Ａを構成する各ハードウェア構成要素に相互接続されている。
【００２１】
制御部２１、記憶部２２、及び通信部２３は、サーバ装置１０の制御部１１、記憶部１２、及び通信部１３と同等の構成及び作用であるので説明を省略する。すなわち、制御部２１は、記憶部２２に記憶された、又は、制御部２１内に直接組み込まれたプログラムを読み出し実行することで、図３及び図５に示すクライアント装置２０Ａ（又は２０Ｂ）の機能を実現する。
【００２２】
入力部２４は、操作者によって操作が可能なポインティングデバイス等の入力デバイスからの信号を入力するデバイスである。操作者により入力部２４が操作されると、入力部２４はその操作に応じた入力信号を生成して制御部２１に出力する。なお、クライアント装置２０Ａは、入力部２４が表示部２５と一体に構成されたタッチパネルを備え、操作者に対する表示部２５への情報の表示にグラフィックを多用し、基礎的な操作を入力部２４によって行うことができるＧＵＩ（Graphical User Interface）を利用することもできる。
【００２３】
表示部２５は、液晶ディスプレイパネル、プラズマディスプレイパネル、及び有機ＥＬ（Electro Luminescence）パネル等の表示デバイスである。表示部２５は、制御部２１の制御に従って画像データを表示する。
【００２４】
ここで、サーバ装置１０とクライアント装置群２０との接続は、Ｗｅｂ＿ＡＰＩ（Application Programming Interface）の仕組みを利用して構築される。Ｗｅｂ＿ＡＰＩでは、クライアント装置群２０、例えばクライアント装置２０Ａのプログラムが、Ｗｅｂサーバであるサーバ装置１０に対して、Ｗｅｂ＿ＡＰＩを使った検索結果のリクエストを行う。リクエストを受け取ったサーバ装置１０は、指定されたＷｅｂ＿ＡＰＩを使ってデータを検索、計算、加工して、クライアント装置２０Ａに返信する。クライアント装置２０Ａでは、返信されたデータをプログラムが解釈し、Ｗｅｂブラウザで表示したり、ＣＳＶ形式に変更したりする。
【００２５】
制御装置３０は、１枚（シングル）のプリント基板（ボード）の上に、電子部品と最低限の入出力装置を付けただけの極めて簡素なコンピュータであるシングルボードコンピュータ（例えば、「ラズベリーパイ」と呼ばれるシングルボードコンピュータ）を利用して構成することができる。制御装置３０は、少なくとも制御部３１、記憶部３２、第１通信部３３、及び第２通信部３６を備える。制御部３１は、共通信号伝送路としてのバスを介して、制御装置３０を構成する各ハードウェア構成要素に相互接続されている。
【００２６】
制御部３１は、記憶部３２に記憶された、又は、制御部３１内に直接組み込まれたプログラムを読み出し実行することで、図３及び図５に示す制御装置３０の機能を実現する。また、第１通信部３３は、サーバ装置１０の通信部１３と同等の構成及び作用であるので説明を省略する。
【００２７】
第２通信部３６は、残像表示装置４０（通信部４３ａ，４３ｂ）及び撮影装置５０（通信部５３）とＢｌｕｅｔｏｏｔｈ（登録商標）及びＷｉＦｉ等の近距離通信（Near Field Communication）Ｎ２を行うための構成を有する。なお、近距離通信として、例えば、赤外線通信、可視光通信、及び音波等を用いることもできる。
【００２８】
残像表示装置４０は、少なくとも制御部４１ａ，４１ｂ、記憶部４２ａ，４２ｂ、通信部４３ａ，４３ｂ、ディスプレイ４５、支持部４７（図２（Ｆ）に図示）、及び回転部４８を備える。制御部４１ａは、共通信号伝送路としてのバスを介して、記憶部４２ａ、通信部４３ａ、及びディスプレイ４５に相互接続されている。制御部４１ａ、記憶部４２ａ、及び通信部４３ａは、１枚（ワン）のプリント基板（ボード）の上に、電子部品と最低限の入出力装置を付けただけの極めて簡素なマイクロコンピュータであるワンボードマイコン（例えば、「アルデュイーノ（登録商標）・ナノ」と呼ばれるワンボードマイコン）を利用して構成することができる。
【００２９】
制御部４１ｂは、共通信号伝送路としてのバスを介して、記憶部４２ｂ、通信部４３ｂ、及び回転部４８に相互接続されている。制御部４１ｂ、記憶部４２ｂ、及び通信部４３ｂは、ワンボードマイコン（例えば、「アルデュイーノ（登録商標）・ナノ」と呼ばれるワンボードマイコン）を利用して構成することができる。
【００３０】
制御部４１ａは、記憶部４２ａに記憶された、又は、制御部４１ａ内に直接組み込まれたプログラムを読み出し実行することで、また、制御部４１ｂは、記憶部４２ｂに記憶された、又は、制御部４１ｂ内に直接組み込まれたプログラムを読み出し実行することで、図３及び図５に示す残像表示装置４０の機能を実現する。
【００３１】
ディスプレイ４５は、制御部４１ａの制御によりそれぞれ発光する複数の発光体、例えば、複数のＬＥＤ（Light Emitting Diode）素子を一列に備えたＬＥＤディスプレイである。以下、ディスプレイ４５が、複数のＬＥＤ素子が少なくとも一方向に配列されるＬＥＤディスプレイである場合について説明する。
【００３２】
支持部４７は、図２（Ｆ）に示すように、回転部４８に接続され、ＬＥＤディスプレイ４５を支持する。
【００３３】
回転部４８は、回転モータ、例えばＤＣモータである。回転部４８は、図２（Ｆ）に示すように、支持部４７に接続され、制御部４１ｂの制御により支持部４７を介してＬＥＤディスプレイ４５を回転させる。
【００３４】
撮影装置５０は、コンピュータをベースに構成されており、少なくとも制御部５１、記憶部５２、通信部５３、及び撮影部５９を備える。制御部５１は、共通信号伝送路としてのバスを介して、撮影装置５０を構成する各ハードウェア構成要素に相互接続されている。撮影装置５０の通信部５３は、必要であれば、ワンボードマイコン（例えば、「アルデュイーノ（登録商標）・ナノ」と呼ばれるワンボードマイコン）を利用して追加することもできる。
【００３５】
制御部５１は、記憶部５２に記憶された、又は、制御部５１内に直接組み込まれたプログラムを読み出し実行することで、図３及び図５に示す撮影装置５０の機能を実現する。
【００３６】
撮影部５９は、図示しないが、光を集めて像を成形するレンズと、光を検知して記録する感光材料（フィルム及びセンサ等）と、感光材料に光を当てる時に開くシャッタ等によって構成される。撮影装置５０は、例えば、多眼式のカメラ、つまり、全天球カメラ５０Ａ（図２（Ａ）に図示）である。又は、撮影装置５０は、例えば、１眼式のカメラ５０Ｂ（図２（Ｂ）に図示）である。
【００３７】
撮影装置５０は、Ｗｉ−Ｆｉ等の近距離通信Ｎ２により、カメラリモートＡＰＩを利用してクライアント装置２０Ａからの撮影の遠隔操作が可能である。
【００３８】
ここで、実施形態に係る撮影システム１に備えられる制御装置３０、残像表示装置４０、及び撮影装置５０の配置について、図２（Ａ）〜（Ｅ）を用いて説明する。
【００３９】
図２（Ａ），（Ｂ）は、撮影装置５０の構造例を示す図である。
【００４０】
図２（Ａ）は、撮影装置５０としての全天球カメラ５０Ａの側面及び前面（正面）を示す。例えば、全天球カメラ５０Ａは、背中合わせに２個の撮影部５９が内蔵される構造を備える。一方で、図２（Ｂ）は、撮影装置５０としての１眼式のカメラ５０Ｂの側面及び前面を示す。１眼式のカメラ５０Ｂは、１個の撮影部５９が内蔵される構造を備える。実施形態に係る撮影システム１においては、全天球カメラ５０Ａ及び１眼式のカメラ５０Ｂのいずれのカメラでも利用することができる。
【００４１】
図２（Ｃ）〜（Ｅ）は、残像表示装置４０の一構成であるＬＥＤディスプレイ４５の回転軌道と、撮影装置５０との位置関係を例示する図である。ＬＥＤディスプレイ４５は、複数のＬＥＤ素子が、一列に配列されて構成される１次元表示デバイスである。ＬＥＤディスプレイ４５を回転させることにより、ＬＥＤ素子があたかも２次元配列されたかのような擬似的な２次元のディスプレイ面（ＰＯＶディスプレイ）を形成することが可能となる。
【００４２】
図２（Ｃ）〜（Ｅ）に示すように、ＬＥＤディスプレイ４５の回転軌道の全部又は一部を撮影可能なように撮影装置５０が配置されている。
【００４３】
図２（Ｃ）に示す例では、撮影装置５０の上下方向の軸Ｃ１に平行に複数のＬＥＤ素子が配列され、軸Ｃ１を中心にしてＬＥＤディスプレイ４５が回転する場合の配置を示す。この場合、ＬＥＤディスプレイ４５の回転軌道が、撮影装置５０の前後左右に亘るようにＬＥＤディスプレイ４５が配置される。
【００４４】
ＬＥＤディスプレイ４５が軸Ｃ１を中心にして回転すると、円筒状のディスプレイ面が形成されることになる。図２（Ｃ）の構成では、撮影装置５０は、円筒状のディスプレイ面の内側から、ディスプレイ面と、ディスプレイ面の背面の撮影対象とを撮影することになる。
【００４５】
図２（Ｄ）に示す例では、撮影装置５０の上下方向の軸Ｃ１に平行に複数のＬＥＤ素子が配列され、軸Ｃ１に平行な軸Ｃ２を中心にしてＬＥＤディスプレイ４５が回転する場合の配置を示す。この場合、ＬＥＤディスプレイ４５の回転軌道が、撮影装置５０の前面のみに亘るようにＬＥＤディスプレイ４５が配置される。
【００４６】
図２（Ｃ）の構成と同様に、ＬＥＤディスプレイ４５が軸Ｃ１を中心にして回転すると、円筒状のディスプレイ面が形成されることになる。ただし、図２（Ｄ）の構成では、撮影装置５０は、円筒状のディスプレイ面の外側から、ディスプレイ面と、ディスプレイ面の背面の撮影対象とを撮影することになる。
【００４７】
図２（Ｅ）に示す例では、撮影装置５０に正対する面上で、ＬＥＤディスプレイ４５がその一端の点を中心としてプロペラ状に回転する場合の配置を示す。この場合、ＬＥＤディスプレイ４５の回転軌道が、撮影装置５０の前面のみに亘るようにＬＥＤディスプレイ４５が配置される。
【００４８】
ＬＥＤディスプレイ４５がその一端の点を中心として回転すると、円盤状のディスプレイ面が構成されることになる。
【００４９】
図２（Ｆ）は、制御装置３０、残像表示装置４０、及び撮影装置５０の配置の具体例を示す図である。
【００５０】
図２（Ｆ）は、残像表示装置４０のＬＥＤディスプレイ４５の回転軌道が図２（Ｃ）に示す回転軌道の場合における、制御装置３０、残像表示装置４０、及び撮影装置５０の配置を示す図である。撮影装置５０（例えば、全天球カメラ５０Ａ）は、筐体Ｆに収容される。残像表示装置４０は、回転部４８を介して撮影装置５０（筐体Ｆ）に支持される。
【００５１】
図２（Ｆ）に示す配置の場合、近距離通信Ｎ２を介した制御装置３０の制御により筐体Ｆに対して回転部４８が回転されると残像表示装置４０が回転し、図２（Ｃ）に示すように、撮影装置５０の周囲をＬＥＤディスプレイ４５が回転する。ＬＥＤディスプレイ４５の回転中に近距離通信Ｎ２を介した制御装置３０の制御により撮影装置５０が撮影を実行すると、撮影装置５０Ａによって、ＰＯＶ技術を利用して視覚情報が付与された画像が収集される。
【００５２】
なお、図２（Ａ）〜（Ｆ）において、ＬＥＤディスプレイ４５が回転軌道上を回転する場合について説明したがその場合に限定されるものではない。例えば、ＬＥＤディスプレイ４５は、回転軌道の一部上を往復するものであってもよい。
【００５３】
また、図２（Ｆ）において、残像表示装置４０が、回転部４８を介して撮影装置５０（筐体Ｆ）に支持される例を示したがその場合に限定されるものではない。残像表示装置４０は、撮影装置５０がＬＥＤディスプレイ４５の回転軌道の全部又は一部を撮影可能なように配置されていればよい。例えば、残像表示装置４０は、撮影装置５０がＬＥＤディスプレイ４５の回転軌道の全部又は一部を撮影可能なように地面又は天井等に支持されていてもよい。
【００５４】
図３は、実施形態に係る撮影システム１の第１のシーケンスを示す図である。
【００５５】
クライアント装置２０Ａの操作アプリケーションと、制御装置３０の制御アプリケーションとがサーバ装置１０に対してユーザ認証を行う（ステップＳＴ１）。ステップＳＴ１によって行われたユーザ認証に対してユーザ認証が成功すると、クライアント装置２０Ａは、操作者から視覚情報の入力を受け付け、視覚情報を設定する（ステップＳＴ２）。
【００５６】
ここで、視覚情報とは、撮影日時や、撮影対象の説明文、或いは任意のコメント等の、撮影画像に重畳して表示させたい文字や、図形等の表示内容を示す。また、クライアント装置２０Ａは視覚情報の他に、視覚情報の表示色及び表示位置等の表示パラメータを設定してもよい。これにより、クライアント装置２０Ａの操作者は、任意の視覚情報を、任意の表示色及び表示位置にて、静止画及び動画等の画像に付与することができる。視覚情報の表示位置を設定可能な構成の場合、ＬＥＤディスプレイ４５を構成する複数のＬＥＤ素子の一部分のみを発光させるような制御を行えばよい。
【００５７】
図４は、視覚情報の設定するための視覚情報設定画面の一例を示す図である。
【００５８】
図４に示すように、視覚情報設定画面は、クライアント装置２０Ａとしてのスマートフォンに表示される。クライアント装置２０Ａの操作者は、視覚情報設定画面にて、視覚情報を入力することができる。また、クライアント装置２０Ａの操作者は、視覚情報設定画面にて、視覚情報の表示色及び表示位置等の表示パラメータを入力することもできる。以下、視覚情報設定画面において、任意の視覚情報のみが設定される場合について説明する。
【００５９】
また、視覚情報設定画面において、操作者は、ＬＥＤディスプレイ４５の回転の開始及び終了の指示や、撮影装置５０の撮影の実行指示を行うことができる。さらに、視覚情報設定画面は、任意の視覚情報が付与された画像を表示するための画像表示領域を有する。
【００６０】
図３の説明に戻って、クライアント装置２０Ａは、サーバ装置１０に、ステップＳＴ２によって設定された視覚情報の付与指示を与える（ステップＳＴ３）。サーバ装置１０は、制御装置３０に、ステップＳＴ３によってなされた視覚情報の付与指示を与える（ステップＳＴ４）。
【００６１】
制御装置３０は、ステップＳＴ４によってなされた視覚情報の付与指示を受けると、ＰＯＶ技術によって視覚情報が表示されるように残像表示装置４０を制御する（ステップＳＴ５）。つまり、制御装置３０は、ステップＳＴ４によってなされた視覚情報の付与指示を受けると、目の残像効果を利用して複数のＬＥＤ素子の軌跡上に視覚情報を表示可能なように所定の回転速度で回転部４８（図２（Ｆ）に図示）を回転させ、ＬＥＤディスプレイ４５（図２（Ｆ）に図示）を構成する複数のＬＥＤ素子のそれぞれを所定の作動タイミングで作動させる。なお、制御装置３０は、視覚情報が所定の表示色及び表示位置となるように複数のＬＥＤ素子の作動を制御することもできる。
【００６２】
ステップＳＴ５により、視覚情報を表示可能なように、回転部４８は所定の回転速度で回転し、ＬＥＤディスプレイ４５を構成する複数のＬＥＤ素子のそれぞれは所定の作動タイミングで作動する（ステップＳＴ６）。
【００６３】
クライアント装置２０Ａは、操作者から撮影の実行指示の入力を受け付ける（ステップＳＴ７）。例えば、図４に示す視覚情報設定画面において、操作者は、撮影装置５０の撮影の実行指示を行うことができる。クライアント装置２０Ａは、サーバ装置１０に、ステップＳＴ７によって受け付けられた撮影の実行指示を与える（ステップＳＴ８）。サーバ装置１０は、制御装置３０に、ステップＳＴ８によってなされた撮影の実行指示を与える（ステップＳＴ９）。
【００６４】
制御装置３０は、ステップＳＴ９によってなされた撮影の実行指示を受けると、撮影装置５０を制御する（ステップＳＴ１０）。つまり、制御装置３０は、ステップＳＴ９によってなされた撮影の実行指示を受けると、撮影装置５０を制御して撮影部５９（図２（Ｆ）に図示）による撮影を実行させる。ステップＳＴ１０により、撮影装置５０は、ステップＳＴ６によって回転及び作動するＬＥＤディスプレイ４５の撮影を実行する（ステップＳＴ１１）。ステップＳＴ１１において、撮影装置５０は、静止画を収集するために、静止画上で視覚情報を描画可能な所定のシャッタスピードで撮影を実行する。ステップＳＴ１１において、撮影装置５０は、動画を収集するために、所定の期間に亘って撮影を実行する。
【００６５】
このように、撮影システム１は、撮影装置５０により撮影対象の撮影を実行し、収集された静止画及び動画等の画像に含まれる撮影対象の像の前面に、ＰＯＶ技術を利用した文字及び図形等の視覚情報を付与できる。
【００６６】
次いで、撮影装置５０は、制御装置３０に、ステップＳＴ１１の撮影によって収集された画像を送信する（ステップＳＴ１２）。制御装置３０は、サーバ装置１０に、ステップＳＴ１２によって送信された画像を送信する（ステップＳＴ１３）。サーバ装置１０は、クライアント装置２０Ａに、ステップＳＴ１３によって保存された画像を送信する（ステップＳＴ１４）。クライアント装置２０Ａは、ステップＳＴ１４によって送信された画像を表示部２５（図１に図示）に表示する（ステップＳＴ１５）。ステップＳＴ１５において、クライアント装置２０Ａの表示部２５に表示される視覚情報設定画面の画像表示領域（図４に図示）に、同じく視覚情報設定画面によって設定された視覚情報が付与された画像が表示される。
【００６７】
このように、クライアント装置２０Ａは、クライアント装置２０Ａの操作者が指定した視覚情報がＰＯＶ技術を利用して付与された静止画及び動画等の画像を表示することができる。なお、撮影装置５０が全天球カメラ５０Ａである場合、収集されたパノラマ画像を画像処理して、ある点からの方位を示す画像を生成することもできる。
【００６８】
さらに、残像表示装置４０のＬＥＤディスプレイ４５は、回転部４８のモータによって、全天球カメラ５０Ａの周囲を回転しているため、円筒状のディスプレイ面が全天球カメラ５０Ａの周りに疑似的に形成されることになる。このため、全天球カメラ５０Ａで撮影する３６０度の範囲の画像上の任意の位置に、視覚情報を重畳して撮影することが可能となる。
【００６９】
以上のように、実施形態に係る撮影システム１によると、ＰＯＶ技術を利用して、静止画及び動画等の画像に任意の視覚情報を付与することができる。
【００７０】
図５は、実施形態に係る撮影システム１の第２のシーケンスを示す図である。
【００７１】
図５は、視覚情報の付与指示を与えるクライアント装置とは異なるクライアント装置を使って撮影の実行指示が行われる場合の、撮影システム１のシーケンスを示す。
【００７２】
クライアント装置２０Ａの操作アプリケーションと、制御装置３０の制御アプリケーションとがサーバ装置１０に対してユーザ認証を行う（ステップＳＴ２１）。ステップＳＴ２１によって行われたユーザ認証に対してユーザ認証が成功すると、クライアント装置２０Ａは、操作者から視覚情報の入力を受け付け、視覚情報を設定する（ステップＳＴ２２）。前述したように、視覚情報とは、表示内容及び表示パラメータを意味する。これにより、クライアント装置２０Ａの操作者は、任意の文字を、任意の表示色及び表示位置にて、ＰＯＶ技術を利用して、動画に付与することができる。
【００７３】
クライアント装置２０Ａは、サーバ装置１０に、ステップＳＴ２２によって設定された視覚情報の付与指示を与える（ステップＳＴ２３）。サーバ装置１０は、制御装置３０に、ステップＳＴ２３によってなされた視覚情報の付与指示を与える（ステップＳＴ２４）。
【００７４】
制御装置３０は、ステップＳＴ２４によってなされた視覚情報の付与指示を受けると、ＰＯＶ技術によって視覚情報が表示されるように残像表示装置４０を制御する（ステップＳＴ２５）。つまり、制御装置３０は、ステップＳＴ２４によってなされた視覚情報の付与指示を受けると、回転部４８（図２（Ｆ）に図示）を回転させ、ＬＥＤディスプレイ４５（図２（Ｆ）に図示）を構成する複数のＬＥＤ素子のそれぞれを作動させる。ステップＳＴ２５により、回転部４８は回転し、ＬＥＤディスプレイ４５を構成する複数のＬＥＤ素子のそれぞれは作動する（ステップＳＴ２６）。
【００７５】
そして、目の残像効果を利用して複数のＬＥＤ素子の軌跡上に視覚情報を表示可能なように、回転部４８（図２（Ｆ）に図示）が所定の回転速度で回転し、ＬＥＤディスプレイ４５（図２（Ｆ）に図示）を構成する複数のＬＥＤ素子のそれぞれが所定の作動タイミングで作動する。なお、制御装置３０は、視覚情報が所定の表示色及び表示位置となるように複数のＬＥＤ素子の作動を制御することもできる。
【００７６】
このように、撮影システム１は、撮影装置５０により撮影対象の撮影を実行し、収集された動画に含まれる撮影対象の像の前面に、ＰＯＶ技術を利用した文字及び図形等の視覚情報を付与できる。
【００７７】
クライアント装置２０Ｂの操作アプリケーションと、制御装置３０の制御アプリケーションとがサーバ装置１０に対してユーザ認証を行う（ステップＳＴ２７）。ステップＳＴ２７によって行われたユーザ認証に対してユーザ認証が成功すると、クライアント装置２０Ｂは、操作者から撮影の実行指示の入力を受け付ける（ステップＳＴ２８）。クライアント装置２０Ｂは、サーバ装置１０に、ステップＳＴ２８によって受け付けられた撮影の実行指示を与える（ステップＳＴ２９）。サーバ装置１０は、制御装置３０に、ステップＳＴ２９によってなされた撮影の実行指示を与える（ステップＳＴ３０）。
【００７８】
制御装置３０は、ステップＳＴ３０によってなされた撮影の実行指示を受けると、撮影装置５０を制御する（ステップＳＴ３１）。つまり、制御装置３０は、ステップＳＴ３０によってなされた撮影の実行指示を受けると、撮影装置５０を制御して撮影部５９（図２（Ｆ）に図示）による撮影を実行させる。ステップＳＴ３１により、撮影装置５０は、ステップＳＴ２６によって回転及び作動するＬＥＤディスプレイ４５の撮影を実行する（ステップＳＴ３２）。ステップＳＴ３２において、撮影装置５０は、静止画を収集するために、静止画上で視覚情報を描画可能な所定のシャッタスピードで撮影を実行する。ステップＳＴ１１において、撮影装置５０は、動画を収集するために、所定の期間に亘って撮影を実行する。
【００７９】
次いで、撮影装置５０は、制御装置３０に、ステップＳＴ３２の撮影によって収集された画像を送信する（ステップＳＴ３３）。制御装置３０は、サーバ装置１０に、ステップＳＴ３３によって送信された画像を送信する（ステップＳＴ３４）。サーバ装置１０は、クライアント装置２０Ｂに、ステップＳＴ３４によって送信された画像を送信する（ステップＳＴ３５）。クライアント装置２０Ｂは、ステップＳＴ３５によって送信された画像を表示部２５（図１に図示）に表示する（ステップＳＴ３６）。
【００８０】
このように、クライアント装置２０Ｂは、クライアント装置２０Ａの操作者が指定した視覚情報がＰＯＶ技術を利用して付与された画像を表示することができる。
【００８１】
以上のように、実施形態に係る撮影システム１によると、ＰＯＶ技術を利用して、静止画及び動画等の画像に任意の視覚情報を付与することができる。
【００８２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００８３】
１…撮影システム
１０…サーバ装置
２０…クライアント装置群
２０Ａ，２０Ｂ…クライアント装置
３０…制御装置
４０…残像表示装置
４５…ディスプレイ（ＬＥＤディスプレイ）
４７…支持部
４８…回転部
５０…撮影装置
５９…撮影部
【図１】
2018029274.tif 000003
【図２】
2018029274.tif 000004
【図３】
2018029274.tif 000005
【図４】
2018029274.tif 000006
【図５】
2018029274.tif 000007